(57)【特許請求の範囲】
【請求項１】
医療装置に取り付けられて流体を流通させ得る可撓性チューブを収納する収納トレイにおいて、
前記医療装置の所定部位に固定されるとともに、前記可撓性チューブを収納し得るトレイ本体と、
該トレイ本体の一部を折り曲げて形成され、前記医療装置に取り付けられた前記可撓性チューブを洗浄するためのプライミング液を受けて所定容量収容し得る受け部と、
を備え、前記トレイ本体は、前記可撓性チューブ毎に巻いた状態で収納し得る収納部が一体形成されたことを特徴とする収納トレイ。
【請求項２】
前記収納部は、前記可撓性チューブを巻いた状態で収納し得る巻き部と、該巻き部に収納された可撓性チューブの先端部を嵌合して固定し得る嵌合部と、前記巻き部に収納された可撓性チューブを覆って当該巻き部から外れてしまうのを規制する蓋部とを有することを特徴とする請求項１記載の収納トレイ。
【請求項３】
前記収納部には、その巻き部に収納された前記可撓性チューブの前記医療装置に対する接続位置又は接続順序が表示されたことを特徴とする請求項２記載の収納トレイ。
【発明の詳細な説明】
【技術分野】
【０００１】
本発明は、医療装置に取り付けられて流体を流通させ得る複数の可撓性チューブを収納する収納トレイに関するものである。
【背景技術】
【０００２】
患者の体内から血液を採取しつつ所定の希釈液でその血液を希釈し、グルコースセンサ等の血糖値検出装置にて血糖値をリアルタイムで検出するとともに、検出された血糖値が過度に高い場合は、インスリンを患者に注入して血糖値を下げ、検出された血糖値が過度に低い場合は、ブドウ糖（グルコース）を患者に注入して血糖値を上げることが可能な人工膵臓装置が提案されている。
【０００３】
かかる人工膵臓装置は、例えば特許文献１にて開示されているように、血糖値検出装置に供給する血液を希釈するための希釈装置（サンプリング装置）を有している。従来の希釈装置は、血液や希釈液等の種々液体を流通させ得る複数の可撓性チューブが取り付けられるものであった。これら可撓性チューブは、通常、複数をまとめて樹脂製の収容袋に収容されて提供されており、かかる袋を破って内部に収容された可撓性チューブを希釈装置の所定位置に取り付ける必要があった。
【先行技術文献】
【特許文献】
【０００４】
【特許文献１】特開２０１３−２４５６６４号公報
【発明の概要】
【発明が解決しようとする課題】
【０００５】
しかしながら、上記従来技術においては、複数の可撓性チューブを収容袋から取り出して医療装置に取り付けた後、それら可撓性チューブにプライミング液（生理食塩液等）を流通させて洗浄する場合、当該プライミング液を別個の容器で受ける必要があったので、プライミングが終了した後、可撓性チューブが収容されていた収容袋及びプライミング液を収容した別個の容器をそれぞれ廃棄する必要があり、作業性に悪影響を及ぼしていた。
【０００６】
本発明は、このような事情に鑑みてなされたもので、可撓性チューブを収納するとともに、プライミング終了後の作業性を向上させることができる収納トレイを提供することにある。
【課題を解決するための手段】
【０００７】
請求項１記載の発明は、医療装置に取り付けられて流体を流通させ得る可撓性チューブを収納する収納トレイにおいて、前記医療装置の所定部位に固定されるとともに、前記可撓性チューブを収納し得るトレイ本体と、該トレイ本体の一部を折り曲げて形成され、前記医療装置に取り付けられた前記可撓性チューブを洗浄するためのプライミング液を受けて所定容量収容し得る受け部とを備え、前記トレイ本体は、前記可撓性チューブ毎に巻いた状態で収納し得る収納部が一体形成されたことを特徴とする。
【００１３】
請求項２記載の発明は、請求項１記載の収納トレイにおいて、前記収納部は、前記可撓性チューブを巻いた状態で収納し得る巻き部と、該巻き部に収納された可撓性チューブの先端部を嵌合して固定し得る嵌合部と、前記巻き部に収納された可撓性チューブを覆って当該巻き部から外れてしまうのを規制する蓋部とを有することを特徴とする。
【００１４】
請求項３記載の発明は、請求項２記載の収納トレイにおいて、前記収納部には、その巻き部に収納された前記可撓性チューブの前記医療装置に対する接続位置又は接続順序が表示されたことを特徴とする。
【発明の効果】
【００１５】
請求項１の発明によれば、医療装置の所定部位に固定されるとともに、可撓性チューブを収納し得るトレイ本体と、該トレイ本体の一部を折り曲げて形成され、医療装置に取り付けられた可撓性チューブを洗浄するためのプライミング液を受けて所定容量収容し得る受け部とを備えたので、可撓性チューブを収納するとともに、プライミング終了後の作業性を向上させることができる。
また、トレイ本体は、可撓性チューブ毎に巻いた状態で収納し得る収納部が形成されたので、巻いた状態を解すことにより可撓性チューブを収納部から外して医療装置に取り付けることができ、別個の結束テープ等を不要とすることができる。
【００２１】
請求項２の発明によれば、収納部は、可撓性チューブを巻いた状態で収納し得る巻き部と、該巻き部に収納された可撓性チューブの先端部を嵌合して固定し得る嵌合部と、巻き部に収納された可撓性チューブを覆って当該巻き部から外れてしまうのを規制する蓋部とを有するので、可撓性チューブを確実且つコンパクトに収納することができる。
【００２２】
請求項３の発明によれば、収納部には、その巻き部に収納された可撓性チューブの医療装置に対する接続位置又は接続順序が表示されたので、可撓性チューブの医療装置に対する取付け作業をより円滑且つ確実に行わせることができる。
【図面の簡単な説明】
【００２３】
【図１】本発明の実施形態に係る収納トレイが適用される希釈装置及び血糖値検出装置を示す模式図
【図２】同希釈装置における穿刺針を示す模式図
【図３】同収納トレイを示す正面図及び底面図
【図４】同収納トレイ（蓋部を全て閉じた状態）を示す斜視図
【図５】同収納トレイ（蓋部を全て閉じた状態）を示す斜視図
【図６】同収納トレイ（特定の蓋部を開いた状態）を示す斜視図
【図７】同収納トレイ（特定の蓋部を開いた状態）を示す斜視図
【図８】同収納トレイの組立前の状態を示す正面図及び底面図
【図９】同収納トレイが適用される希釈装置及び血糖値検出装置（収納トレイが固定されていない状態）の外観を示す正面図
【図１０】同収納トレイが適用される希釈装置及び血糖値検出装置（収納トレイが固定された状態）の外観を示す正面図
【図１１】同収納トレイが適用される希釈装置及び血糖値検出装置（収納トレイが固定された状態）の背面側の外観を示す斜視図
【発明を実施するための形態】
【００２４】
以下、本発明の実施形態について図面を参照しながら具体的に説明する。
本実施形態に適用される希釈装置Ａは、図１、２に示すように、血液の血糖値を検出し得る血糖値検出装置Ｓに接続された医療装置から成り、しごき型ポンプから成るマルチポンプＰを具備するとともに、複数の可撓性チューブ（Ｌ１〜Ｌ４）が取り付けられて構成されている。かかる希釈装置Ａは、患者の血液を希釈して血糖値検出装置ＳのグルコースセンサＴにて血糖値を検出させるためのもので、図９〜１１に示すような外観の医療装置Ｋを構成している。
【００２５】
可撓性チューブＬ１は、一端に生理食塩液にヘパリン（抗凝固剤）を含有させたヘパリン加生理食塩液を収容した収容バッグＢ１が接続されるとともに、他端が穿刺針Ｈに接続される液体の流路から成る。可撓性チューブＬ２は、一端が穿刺針Ｈに接続されるとともに、他端が血糖値検出装置Ｓに配設されたチャンバ等から成る混合部Ｍに接続される液体の流路から成る。可撓性チューブＬ３は、一端に生理食塩液を収容した収容バッグＢ２が接続されるとともに、他端が可撓性チューブＬ２の所定位置に接続される液体の流路から成る。可撓性チューブＬ４は、一端にグルコース標準液を収容した収容バッグＢ３が接続されるとともに、他端が可撓性チューブＬ１及び可撓性チューブＬ２の所定位置に接続される液体の流路から成る。
【００２６】
穿刺針Ｈは、可撓性チューブＬ１の先端及び可撓性チューブＬ２の先端にそれぞれ接続され、患者に穿刺可能とされたもので、収容バッグＢ１内の希釈液を内部に導きつつ患者の血液を採取し、その血液を希釈液と混合した状態にて血糖値検出装置Ｓの混合部Ｍに供給可能とされている。この混合部Ｍは、血糖値検出装置ＳのグルコースセンサＴと接続されており、混合部Ｍにて略均一に混合された希釈液が可撓性チューブＬ７、Ｌ８を介してグルコースセンサＴに供給されるようになっている。
【００２７】
また、収容バッグＢ２の生理食塩液を供給することにより、希釈装置Ａ及び血糖値検出装置Ｓに取り付けられた可撓性チューブＬ１〜Ｌ１０及び接続部品を洗浄（プライミング）可能とされているとともに、収容バッグＢ３のグルコース標準液を供給しつつグルコースセンサＴにて血糖値を検出することにより、当該グルコースセンサＴの校正を行うことが可能とされている。
【００２８】
マルチポンプＰは、可撓性チューブＬ１、Ｌ２が取り付けられ、希釈液及び血液を所定の比率で同時に流動させ得るもので、モータにて回転駆動可能な複数のロータと、各ロータに取り付けられて可撓性チューブＬ１、Ｌ２をしごいて液体を流動させ得るローラとを具備している。なお、マルチポンプＰには、血糖値検出装置Ｓ側の可撓性チューブＬ５、Ｌ６、Ｌ９も取り付けられており、可撓性チューブＬ１、Ｌ２、Ｌ５、Ｌ６及びＬ９を同時にしごいて液体を流動し得るようになっている。
【００２９】
一方、血糖値検出装置Ｓは、一端が希釈液を収容した収容バッグＢ４に接続されるとともに、他端が混合部Ｍに接続された可撓性チューブＬ５と、一端が大気開放されるとともに、他端が混合部Ｍに接続された可撓性チューブＬ６と、一端が混合部Ｍに接続されるとともに、他端がチャンバＮに接続された可撓性チューブＬ７と、一端がチャンバＮに接続されるとともに、他端がグルコースセンサＴに接続された可撓性チューブＬ８と、一端がグルコースセンサＴに接続されるとともに、他端が排液を収容するための収容バッグＢ５に接続された可撓性チューブＬ９と、一端がチャンバＮに接続されるとともに、他端が収容バッグＢ５に接続された可撓性チューブＬ１０とを有して構成されている。
【００３０】
グルコースセンサＴは、希釈装置Ａから供給された希釈された患者の血液を酵素の膜上に連続的に導いてブドウ糖を分解し、その分解時に生じた電流値から血糖値を検出可能とされたもので、可撓性チューブＬ９を介して排液バッグＢ５に接続されている。しかして、可撓性チューブＬ２にて混合部Ｍに供給された患者の血液（ヘパリン加生理食塩液で希釈された血液）は、可撓性チューブＬ５にて供給された希釈液にて更に希釈された後、グルコースセンサＴにて血糖値が検出され、可撓性チューブＬ９を介して排液バッグＢ５に排出されるようになっている。なお、混合部Ｍには、可撓性チューブＬ６を介して空気が供給されており、血液と希釈液との混合を良好に行わせるよう構成されている。
【００３１】
ここで、医療装置（本実施形態においては希釈装置Ａ及び血糖値検出装置Ｓを具備した医療装置Ｋ）に取り付けられる複数の可撓性チューブＬ１〜Ｌ４は、図３〜７に示すように、収納トレイ１に収納されている。なお、本実施形態に適用される医療装置Ｋは、図９〜１１に示すように、設定状況等を表示可能なモニタＪや収容バッグ（Ｂ１〜Ｂ５）を吊るし得るフックＦ等を具備したもので、所定位置に被係止部Ｋａが形成されている。
【００３２】
本実施形態に係る収納トレイ１は、医療装置Ｋの所定部位（被係止部Ｋａ）に固定可能とされるとともに、図３〜７に示すように、複数の可撓性チューブ（Ｌ１〜Ｌ４）を収納し得るトレイ本体２と、トレイ本体２の下縁部に形成された受け部３と、トレイ本体２の所定位置にそれぞれ形成された収納部４〜７とを有して構成されている。なお、図３〜７中、収納部７のみ可撓性チューブＬ１を収納した状態（他の可撓性チューブは、医療装置Ｋに取り付けられた状態）を示しているが、収納状態においては、収納部４〜６にも可撓性チューブ（Ｌ２〜Ｌ４）が収納されている。
【００３３】
また、本実施形態に係る収納トレイ１は、図８に示すように、各部位が一体形成された樹脂成形品から成り、これを組み立てて受け部３や係止部１１等を形成するようになっている。具体的には、トレイ本体２の側縁部をＬ字状に折り曲げることにより折曲げ部２ａが形成されるとともに、トレイ本体２の下縁部を折り曲げつつ延設部２ｂをスリットａに挿入させることにより、受け部３が形成される。さらに、カバー部３ａを折り曲げることにより、受け部３の上部を当該カバー部３ａにて覆うようになっている。
【００３４】
トレイ本体２は、医療装置Ｋの所定部位に係止可能な係止部１１が形成され、当該医療装置に対して脱着自在とされている。すなわち、係止部１１は、図８に示すように、トレイ本体２の側縁部をＬ字状に折り曲げて形成された折曲げ部２ａの切欠きから成り、当該係止部１１を医療装置の被係止部Ｋａに引っ掛けることにより、医療装置Ｋに収納トレイ１を固定（図１０、１１参照）し得るとともに、被係止部Ｋａから外すことにより医療装置Ｋから収納トレイ１を取り外し可能（取り外された状態について図９参照）とされている。
【００３５】
収納部４〜７は、図３〜８に示すように、可撓性チューブ（Ｌ１〜Ｌ４）毎に巻いた状態で収納し得る部位から成り、収納部４に可撓性チューブＬ３（フラッシングライン）、収納部５に可撓性チューブＬ１（ヘパリン加生理食塩液ライン）、収納部６に可撓性チューブＬ４（校正ライン）及び収納部７に可撓性チューブＬ２（患者ライン）がそれぞれ収納されている。また、本実施形態に係る収納部４〜７は、巻き部８と、嵌合部９と、蓋部１０とをそれぞれ有して構成されている。
【００３６】
より具体的には、巻き部８は、可撓性チューブ（Ｌ１〜Ｌ４）を巻いた状態で収納し得る突出した部位から成り、その上面には、当該巻き部８に収納された可撓性チューブ（Ｌ１〜Ｌ４）の先端部を嵌合して固定し得る嵌合部９が形成されている。すなわち、嵌合部９は、可撓性チューブ（Ｌ１〜Ｌ４）の先端部と略同一形状及び寸法の溝形状から成り、巻き部８にて巻かれた可撓性チューブ（Ｌ１〜Ｌ４）の先端部を嵌合させて固定するよう構成されている。
【００３７】
さらに、本実施形態に係る収納部（４〜７）には、その巻き部８に収納された可撓性チューブ（Ｌ１〜Ｌ４）の医療装置Ｋに対する接続位置（「フラッシングライン、ヘパリン加生理食塩液ライン、校正ライン、患者ライン」なる文字）及び接続順序（「（１）〜（４）」なる数字）が表示されている。なお、本実施形態においては、接続位置及び接続順序が蓋部１０に表示されているが、他の位置（収納部４〜７に対応する部位）に表示してもよく、或いは接続位置及び接続順序の何れか一方のみ表示してもよい。
【００３８】
蓋部１０は、図８に示すように、トレイ本体２の側縁から延設された延設部１０ｃの先端部に形成された平面状の部位から成り、図３〜７に示すように、巻き部８に収納された可撓性チューブ（Ｌ１〜Ｌ４）を覆って当該巻き部から外れてしまうのを規制するものである。すなわち、蓋部１０は、それぞれの巻き部８に対応した位置に形成され、当該蓋部１０の凸部１０ａが巻き部８の凹部８ａに嵌合して固定することにより、巻き部８に収納された可撓性チューブ（Ｌ１〜Ｌ４）を覆って巻き状態を保持し得るようになっている。
【００３９】
受け部３は、図３〜８に示すように、トレイ本体２に形成され、医療装置Ｋに取り付けられた可撓性チューブ（Ｌ１〜Ｌ４）を洗浄するためのプライミング液を受けて所定容量収容し得る容器状の部位から成る。なお、かかる所定容量は、例えば可撓性チューブ（Ｌ１〜Ｌ４）を洗浄した際に吐出部から吐出されるプライミング液の量に基づき適宜定めることができる。また、本実施形態においては、可撓性チューブＬ１におけるプライミング液を吐出し得る吐出部（穿刺針Ｈが取り付けられる先端部）は、当該可撓性チューブＬ１がトレイ本体２に収納された状態において、受け部３にプライミング液を吐出可能な状態とされている。
【００４０】
具体的には、可撓性チューブＬ１の吐出部を覆って保護するためのキャップ１２が取り付けられるとともに、可撓性チューブＬ１がトレイ本体２に収納された状態（すなわち、可撓性チューブＬ１が収納部７に収納された状態）において、当該キャップ１２が受け部３に挿通されている。さらに、本実施形態に係る受け部３は、プライミング液を収容する収容空間を覆うカバー部３ａを有するとともに、当該カバー部３ａにキャップ１２を挿通する挿通孔３ａａが形成されている。これにより、プライミング時に供給されたプライミング液（本実施形態においては、収容バッグＢ２から供給された生理食塩液）は、各可撓性チューブ（Ｌ１〜Ｌ４）を流通した後、キャップ１２を介して受け部３に収容されることとなる。
【００４１】
本実施形態によれば、医療装置Ｋの所定部位に固定可能とされるとともに、可撓性チューブ（Ｌ１〜Ｌ４）を収納し得るトレイ本体２と、該トレイ本体２に形成され、医療装置Ｋに取り付けられた可撓性チューブ（Ｌ１〜Ｌ４）を洗浄するためのプライミング液を受けて所定容量収容し得る受け部３とを備えたので、可撓性チューブ（Ｌ１〜Ｌ４）を収納するとともに、プライミング終了後の作業性を向上させることができる。すなわち、プライミング時に受け部３にてプライミング液を収容することができるので、プライミング終了後、可撓性チューブ（Ｌ１〜Ｌ４）が収納部（４〜７）から全て取り外された状態のトレイ本体２を廃棄すれば、プライミング液も同時に廃棄することができ、作業性を向上させることができるのである。
【００４２】
また、本実施形態によれば、可撓性チューブＬ１におけるプライミング液を吐出し得る吐出部は、当該可撓性チューブ（Ｌ１〜Ｌ４）がトレイ本体２に収納された状態において、受け部３にプライミング液を吐出可能な状態とされているので、プライミング時、プライミング液を確実且つ円滑に受け部に吐出させて収容することができる。特に、本実施形態においては、可撓性チューブＬ１の吐出部を覆って保護するためのキャップ１２が取り付けられるとともに、可撓性チューブ（Ｌ１〜Ｌ４）がトレイ本体２に収納された状態において、当該キャップ１２が受け部３に挿通されているので、キャップ１２にて吐出部を保護することができるとともに、プライミング時、プライミング液を確実且つ円滑に受け部３に吐出させて収容することができる。
【００４３】
さらに、本実施形態に係る受け部３は、プライミング液を収容する収容空間を覆うカバー部３ａを有するとともに、当該カバー部３ａにキャップ１２を挿通する挿通孔３ａａが形成されたので、受け部３に吐出されたプライミング液が周囲に飛散してしまうのを防止することができるとともに、トレイ本体２を廃棄する際、受け部３内のプライミング液が溢れてしまうのを抑制することができる。
【００４４】
またさらに、本実施形態に係るトレイ本体２は、医療装置Ｋの所定部位（被係止部Ｋａ）に係止可能な係止部１１が形成され、当該医療装置Ｋに対して脱着自在とされたので、可撓性チューブ（Ｌ１〜Ｌ４）を医療装置Ｋに取り付けた後、容易に収納トレイ１を取り外して廃棄することができる。また、トレイ本体２は、可撓性チューブ（Ｌ１〜Ｌ４）毎に巻いた状態で収納し得る収納部（４〜７）が形成されたので、巻いた状態を解すことにより可撓性チューブを収納部から外して医療装置に取り付けることができ、別個の結束テープ等を不要とすることができる。
【００４５】
さらに、収納部（４〜７）は、可撓性チューブ（Ｌ１〜Ｌ４）を巻いた状態で収納し得る巻き部８と、該巻き部８に収納された可撓性チューブ（Ｌ１〜Ｌ４）の先端部を嵌合して固定し得る嵌合部９と、巻き部８に収納された可撓性チューブ（Ｌ１〜Ｌ４）を覆って当該巻き部８から外れてしまうのを規制する蓋部１０とを有するので、可撓性チューブ（Ｌ１〜Ｌ４）を確実且つコンパクトに収納することができる。また、収納部（４〜７）には、その巻き部８に収納された可撓性チューブ（Ｌ１〜Ｌ４）の医療装置Ｋに対する接続位置又は接続順序が表示されたので、可撓性チューブ（Ｌ１〜Ｌ４）の医療装置Ｋに対する取付け作業をより円滑且つ確実に行わせることができる。
【００４６】
以上、本実施形態について説明したが、本発明はこれに限定されず、例えば４本以外の複数本の可撓性チューブを収納するものであってもよく、或いは１本の可撓性チューブを収納するものであってもよい。また、本実施形態においては、収納された可撓性チューブ（Ｌ１〜Ｌ４）を医療装置Ｋに取り付け、プライミングが終了した後にトレイ本体２を医療Ｋから取り外して廃棄しているが、医療装置Ｋに取り付けた状態を維持するようにしてもよい。なお、可撓性チューブ（Ｌ１〜Ｌ４）が取り付けられる医療装置Ｋは、何れの形態のものであってもよい。
【産業上の利用可能性】
【００４７】
本発明の収納トレイは、医療装置の所定部位に固定されるとともに、可撓性チューブを収納し得るトレイ本体と、該トレイ本体の一部を折り曲げて形成され、医療装置に取り付けられた可撓性チューブを洗浄するためのプライミング液を受けて所定容量収容し得る受け部とを備え、トレイ本体は、可撓性チューブ毎に巻いた状態で収納し得る収納部が一体形成されていれば、外観形状が異なるもの或いは他の機能が付加されたものであってもよい。
【符号の説明】
【００４８】
１    収納トレイ
２    トレイ本体
３    受け部
４〜７  収納部
８    巻き部
９    嵌合部
１０  蓋部
１１  係止部
Ｋ    医療装置
【図１】
0006356872.tif 000002
【図２】
0006356872.tif 000003
【図３】
0006356872.tif 000004
【図４】
0006356872.tif 000005
【図５】
0006356872.tif 000006
【図６】
0006356872.tif 000007
【図７】
0006356872.tif 000008
【図８】
0006356872.tif 000009
【図９】
0006356872.tif 000010
【図１０】
0006356872.tif 000011
【図１１】
0006356872.tif 000012